(57)【要約】【課題】新設のシール材を設ける改修を容易に行うことができる目地部構造および目地部の改修方法を提供する。【解決手段】隣接する第１外壁材２（第１部材）と第２外壁材３（第２部材）との間に形成され第２既設シール材６１（既設シール材）が打設された目地部１に、新設シール材４１が第２既設シール材６１に重ねて打設される目地部構造において、第１外壁材２および第２外壁材３と第２既設シール材６１との境界部分には、溝部４Ａ（第１部材の素地露出部、第２部材の素地露出部）が形成され、新設シール材４１は、第２既設シール材６１から溝部４Ａにかけて連続的に覆うように打設されている。【選択図】図１
2020159137.tif 000002
【特許請求の範囲】
【請求項１】
隣接する第１部材と第２部材との間に形成され既設のシール材が打設された目地部に、新設のシール材が前記既設のシール材に重ねて打設される目地部構造において、
前記第１部材および前記第２部材の少なくとも一方と前記既設のシール材との境界部分には、前記第１部材または前記第２部材の素地露出部が形成され、
前記新設のシール材は、前記既設のシール材から前記素地露出部にかけて連続的に覆うように打設されていることを特徴とする目地部構造。
【請求項２】
前記素地露出部は、前記第１部材および前記第２部材の少なくとも一方と前記既設のシール材との境界部分に沿って、底部が前記第１部材または前記第２部材の素地に達するように切削して形成された溝部であることを特徴とする請求項１に記載の目地部構造。
【請求項３】
前記溝部は、断面形状がＶ字形であることを特徴とする請求項２に記載の目地部構造。
【請求項４】
前記第１部材および前記第２部材の少なくとも一方は、ＡＬＣパネルであることを特徴とする請求項１乃至３のいずれか一項に記載の目地部構造。
【請求項５】
隣接する第１部材と第２部材との間に形成され既設のシール材が打設された目地部に、新設のシール材を前記既設のシール材に重ねて打設する目地部の改修方法において、
前記第１部材および前記第２部材の少なくとも一方と前記既設のシール材との境界部分に、前記第１部材または前記第２部材の素地露出部を形成する素地露出部形成工程と、
前記新設のシール材を前記既設のシール材から前記素地露出部にかけて連続的に覆うように打設する新設シール材打設工程と、を有することを特徴とする目地部の改修方法。
【請求項６】
前記素地露出部形成工程では、前記素地露出部を、前記第１部材および前記第２部材の少なくとも一方と前記既設のシール材との境界部分に沿った溝部を、その底部が前記第１部材または前記第２部材の素地に達するように切削して形成することを特徴とする請求項５に記載の目地部の改修方法。
【請求項７】
前記素地露出部形成工程では、前記溝部の断面形状をＶ字形に形成することを特徴とする請求項６に記載の目地部の改修方法。
【発明の詳細な説明】
【技術分野】
【０００１】
本発明は、目地部構造および目地部の改修方法に関する。
【背景技術】
【０００２】
外壁材などのパネル間や、パネルとサッシ枠などの間の目地部にシール材が打設されている場合、リフォームによる外壁塗装などで目地部を改修する際には、目地部から既設のシール材を除去し、新たにシール材を打設している。
特許文献１には、目地部の既設のシール材を除去する際に外壁材の一部も切除する目地部の改修方法が開示されている（例えば、特許文献１参照）。
【先行技術文献】
【特許文献】
【０００３】
【特許文献１】特開２００７−１４６５３９号公報
【発明の概要】
【発明が解決しようとする課題】
【０００４】
しかしながら、目地部から既設のシール材を除去する場合、パネルの材質によっては、目地部の既設のシール材全てがきれいに除去されず、目地部に残留したシール材の除去に手間がかかるという問題がある。
また、目地部から既設のシール材を除去する際に、パネルの一部も切除する方法では、目地部の断面形状やシール材の断面形状を考慮してパネルを切除しなければならず、手間がかかるという問題がある。
【０００５】
そこで、本発明は、新設のシール材を設ける改修を容易に行うことができる目地部構造および目地部の改修方法を提供することを目的とする。
【課題を解決するための手段】
【０００６】
上記目的を達成するため、本発明に係る目地部構造は、隣接する第１部材と第２部材との間に形成され既設のシール材が打設された目地部に、新設のシール材が前記既設のシール材に重ねて打設される目地部構造において、前記第１部材および前記第２部材の少なくとも一方と前記既設のシール材との境界部分には、前記第１部材または前記第２部材の素地露出部が形成され、前記新設のシール材は、前記既設のシール材から前記素地露出部にかけて連続的に覆うように打設されていることを特徴とする。
【０００７】
また、本発明に係る目地部の改修方法は、隣接する第１部材と第２部材との間に形成され既設のシール材が打設された目地部に、新設のシール材を前記既設のシール材に重ねて打設する目地部の改修方法において、前記第１部材および前記第２部材の少なくとも一方と前記既設のシール材との境界部分に、前記第１部材または前記第２部材の素地露出部を形成する素地露出部形成工程と、前記新設のシール材を前記既設のシール材から前記素地露出部にかけて連続的に覆うように打設する新設シール材打設工程と、を有することを特徴とする。
【０００８】
本発明では、第１部材および第２部材の少なくとも一方と既設のシール材との境界部分に、第１部材または第２部材の素地露出部を形成し、新設のシール材を既設のシール材から素地露出部にかけて連続的に覆うように打設しているため、既設のシール材をほとんど或いは全く除去しなくても、新設のシール材を第１部材または第２部材に対し直接接触した状態に設けることができる。
このため、新設のシール材の、既設のシール材に対する付着性を低下させることなく、目地部の改修を容易に行うことができる。
【０００９】
また、本発明に係る目地部構造では、前記素地露出部は、前記第１部材および前記第２部材の少なくとも一方と前記既設のシール材との境界部分に沿って、底部が前記第１部材または前記第２部材の素地に達するように切削して形成された溝部であってもよい。
【００１０】
また、本発明に係る目地部の改修方法では、前記素地露出部形成工程では、前記素地露出部を、前記第１部材および前記第２部材の少なくとも一方と前記既設のシール材との境界部分に沿った溝部を、その底部が前記第１部材または前記第２部材の素地に達するように切削して形成するようにしてもよい。
【００１１】
このような構成とすることにより、新設のシール材の端縁が第１部材または第２部材から剥離することが防止でき、止水性を向上させることができる。
【００１２】
また、本発明に係る目地部構造では、前記溝部は、断面形状がＶ字形であってもよい。
【００１３】
また、本発明に係る目地部の改修方法では、前記素地露出部形成工程では、前記溝部の断面形状をＶ字形に形成するようにしてもよい。
【００１４】
このような構成とすることにより、一般的な切削工具を用いて溝部を容易に形成することができる。
【００１５】
また、本発明に係る目地部構造では、前記第１部材および前記第２部材の少なくとも一方は、ＡＬＣパネルであってもよい。
このような構成とすることにより、一般的な切削工具を用いて溝部を容易に形成することができる。
【発明の効果】
【００１６】
本発明によれば、新設のシール材を設ける改修を容易に行うことができる。
【図面の簡単な説明】
【００１７】
【図１】本発明の第１実施形態による目地部構造を示す水平断面図である。
【図２】第１実施形態による目地部の新築時の様子を示す水平断面図である。
【図３】第１実施形態による目地部の１回目の改修時の様子を示す水平断面図である。
【図４】第１実施形態による目地部深さ測定治具を示す平面図である。
【図５】本発明の第２実施形態による目地部構造を示す水平断面図である。
【図６】本発明の第３実施形態による目地部構造を示す水平断面図である。
【図７】本発明の第４実施形態による目地部構造を示す水平断面図である。
【発明を実施するための形態】
【００１８】
（第１実施形態）
以下、本発明の第１実施形態による目地部構造および目地部の改修方法について、図１乃至図４に基づいて説明する。
図１に示すように、第１実施形態による目地部構造は、隣接する外壁材２，３の間の既設の目地部に新設の湿式のシール材（新設シール材４１）を設けて改修した後の目地部１Ａの構造となっている。
外壁材２，３のうち、いずれか一方が本発明の第１部材に相当し、他方が本発明の第２部材に相当している。
目地部１Ａには、新築時に湿式のシール材（第１既設シール材５１とする）が打設されていて、新築後に所定期間（例えば１５年）の間隔をあけて２回の改修工事がなされている。
外壁材２，３の面に直交する方向（厚さ方向とする）において、外壁材２，３が建物の躯体に取り付けられる側を裏側または後側とし、外側に露出する側を表側または前側とする。
【００１９】
目地部１Ａを介して隣接する外壁材２，３は、板面が同一鉛直面に配置されるように、水平方向に配列されている。外壁材２，３が配列する方向を幅方向とする。幅方向は、外壁材２，３それぞれの面に沿った水平方向となっている。
目地部１Ａは、上下方向に延びている。隣接する外壁材２，３のうちの一方を第１外壁材２とし、他方を第２外壁材３とする。
第１外壁材２および第２外壁材３は、いずれもＡＬＣ（軽量気泡コンクリート）パネルで、互いの側端部を突き合わせるように配置されている。
【００２０】
第１外壁材２および第２外壁材３の側端部には、厚さ方向の中間部から表側に切り欠き部２１，３１が形成されている。
切り欠き部２１，３１は、第１外壁材２および第２外壁材３の側端部の表側の角部分に形成されている。
切り欠き部２１，３１は、後側部分２１２，３１２に比べて前側部分２１１，３１１のほうが幅広に形成されている。切り欠き部２１，３１の後側部分２１２，３１２は、前後方向全体にわたって同じ幅に形成されている。切り欠き部２１，３１の前側部分２１１，３１１は、後側から前側に向かって漸次幅が広くなるように形成されている。第１外壁材２および第２外壁材３の側端面のうちの前側部分２１１，３１１の端面は、傾斜面となっている。
第１外壁材２の切り欠き部２１，３１と、第２外壁材３の切り欠き部２１，３１とが対向して配置され、この対向する切り欠き部２１，３１の内部が目地部１Ａとなっている。
【００２１】
図２に示すように、新築時には、第１外壁材２の切り欠き部２１と、第２外壁材３の切り欠き部３１との間に第１既設シール材５１が打設され、その後、第１既設シール材５１、第１外壁材２および第２外壁材３の表面を第１既設シール材５１もろとも覆うように塗料が吹き付けられて、第１既設塗膜５２が形成されている。
【００２２】
図３に示すように、１回目の改修工事では、湿式の第１既設シール材５１の前側を第１既設塗膜５２を介して覆うように、湿式の第２既設シール材６１が設けられ、その後、第１外壁材２および第２外壁材３の表面の第１既設塗膜５２第２既設シール材６１もろとも覆うように塗料が吹き付けられて、第２既設塗膜６２が設けられている。
【００２３】
図１に戻り、２回目の改修工事では、第２既設シール材６１の前側を第２既設塗膜６２を介して覆うように、湿式の新設シール材４１が打設され、その後、第２既設塗膜６２を新設シール材４１もろとも覆うように塗料が吹き付けられて、新設塗膜４２が設けられている。
【００２４】
２回目の改修工事では、第１外壁材２と第２既設シール材６１との境界部分において、第１外壁材２を、第２既設シール材６１および第１既設シール材５１の端縁部もろとも切除して断面形状がＶ字形の第１溝部４３（素地露出部）が形成され、第２外壁材３と第２既設シール材６１との境界部分において、第２外壁材３を、第２既設シール材６１および第１既設シール材５１の端縁部もろとも切除して断面形状がＶ字形の第２溝部４４（素地露出部）が形成されている。
【００２５】
第１溝部４３および第２溝部４４は、目地部１Ａの上下方向（長さ方向）全体にわたって形成されている。
新設シール材４１は、第２既設シール材６１を覆うとともに、第１溝部４３および第２溝部４４に充填されるように打設されている。
第１溝部４３および第２溝部４４は、断面形状がＶ字形に形成されている。
第１溝部４３および第２溝部４４を溝部４Ａと表記することがある。
【００２６】
次に、２回目の改修工事（目地部の改修方法）について説明する。
まず、第１外壁材２と第２既設シール材６１との境界部分に第１溝部４３を形成し、第２外壁材３と第２既設シール材６１との境界部分に第２溝部４４を形成する溝部形成工程（素地露出部形成工程）を行う。
第１溝部４３を形成するには、まず、第１溝部４３を形成する領域（第１外壁材２と第２既設シール材６１との境界部分）の第１外壁材２側の縁部に沿ってカッターナイフなどで第１切込み４３１を入れ、第１溝部４３を形成する領域の第２既設シール材６１側の縁部に沿ってカッターナイフなどで第２切込み４３２を第１切込み４３１に達するように入れ、第１切込み４３１および第２切込み４３２によって外れるようになった断面形状が楔状の部分を取り除く。この部分は、第１外壁材２、第１既設シール材５１、第１既設塗膜５２、第２既設シール材６１、第２既設塗膜６２が重なった部分となっている。
このようにして、断面形状がＶ字形の第１溝部４３を形成する。
【００２７】
第２溝部４４も第１溝部４３と同様に形成する。まず、第２溝部４４を形成する領域（第２外壁材３と第２既設シール材６１との境界部分）の第２外壁材３側の縁部に沿ってカッターナイフなどで第１切込み４４１を入れ、第２溝部４４を形成する領域の第２既設シール材６１側の縁部に沿ってカッターナイフなどで第２切込み４４２を第１切込み４４１に達するように入れ、第１切込み４４１および第２切込み４４２によって外れるようになった断面形状が楔状の部分を取り除く。
本実施形態では、第１溝部４３および第２溝部４４の深さを４ｍｍ程度として、第１外壁材２および第２外壁材３に達するように第１溝部４３および第２溝部４４を形成している。
【００２８】
続いて、新設シール材４１を第２既設シール材６１から第１溝部４３および第２溝部４４にかけて連続的に覆うように設ける新設シール材打設工程を行う。
新設シール材打設工程では、第２既設シール材６１の第２既設塗膜６２を介した前側、第１溝部４３および第２溝部４４にかけて連続的に新設シール材４１を、所定の厚み以上かつ円弧状の断面形状が維持されるように打設する。
このようにすることで、新設シール材４１は、第１溝部４３および第２溝部４４に打設された部分が第１外壁材２または第２外壁材３の素地部分に直接接触した状態で目地部１Ａに設けられる。
【００２９】
続いて、新設シール材４１、第１外壁材２および第２外壁材３の前側に塗料を吹き付け、新設塗膜４２を形成する新設塗膜形成工程を行う。
【００３０】
本実施形態では、図４に示すような目地部深さ測定治具７を用いて、溝部４Ａ（第１溝部４３および第２溝部４４、図１参照）の深さを確認している。
目地部深さ測定治具７は、鋼板などを加工した部材で、溝部４Ａや目地部１Ａに挿入されて深さを測定するための目盛りが示された測定部７１と、測定部７１に連続して設けられ、使用者が把持する把持部７２と、を有している。
【００３１】
測定部７１は、板面が台形となる平板状に形成された台形部７３と、板面が半円となる平板状に形成され台形部７３における台形の長辺に対応する長辺縁部７３１から突出する半円部７４と、を有している。半円部７４は、突出する方向に張り出るように湾曲している。
台形部７３の長辺縁部７３１の端部に位置する２つの台形角部７３２，７３３は、それぞれ鋭角に形成され、先端部から長辺縁部７３１に沿って１ｍｍごとに５ｍｍまで目盛り７３５が示されている。台形角部７３２，７３３は、溝部４Ａの断面形状（本実施形態ではＶ字形）に略対応する形状に形成されている。
半円部７４は、板面が半径５ｍｍの半円状に形成されていて、先端部から基端部に向かって１ｍｍごとに５ｍｍまで目盛り７４１が示されている。半円部７４は、長辺縁部７３１の中央に位置し台形角部７３２，７３３と離間している。
【００３２】
把持部７２は、板面が長方形状に形成され、長さ方向の一方の端部が台形部７３における台形の短辺に対応する短辺縁部７３５と接続されている。
【００３３】
溝部４Ａを形成した後に、目地部深さ測定治具７の把持部７２を把持し、台形角部７３２，７３３を溝部４Ａに挿入して台形角部７３２，７３３の目盛りを目視することで、溝部４Ａの所定の深さを有するか否かを確認することができる。
また、目地部１Ａの前面が第１外壁材２および第２外壁材３の前面よりも凹んでいる場合には、目地部深さ測定治具７の把持部７２を把持し、半円部７４を目地部１Ａに挿入し、半円部７４の目盛りを目視することで、２回目の改修工事前の目地部１Ａの前面の深さを確認し、２回目の改修工事で所定の厚さの新設シール材４１の施工後も目地部１Ａに円弧状の断面形状が維持されるか否かを把握することができる。
なお、溝部４Ａの断面形状が半円の場合には、溝部４Ａに半円部７４を挿入して溝部４Ａの深さを確認してもよい。
【００３４】
次に、上述した本発明の第１実施形態による目地部構造および目地部の改修方法の作用・効果について図面を用いて説明する。
上述した本発明の第１実施形態による目地部構造および目地部の改修方法では、第１外壁材２および第２外壁材３と、第２既設シール材６１との境界部分に第１溝部４３および第２溝部４４を形成し、新設シール材４１を第２既設シール材６１から第１溝部４３および第２溝部４４にかけて連続的に覆うように打設しているため、第１既設シール材５１および第２既設シール材６１をほとんど或いは全く除去しなくても、新設シール材４１を第１外壁材２および第２外壁材３に対し直接接触状態に設けることができる。
このため、新設シール材４１の、第１既設シール材５１および第２既設シール材６１に対する付着性を低下させることなく、目地部１Ａの改修を容易に行うことができる。
【００３５】
また、新設シール材４１を、その端縁が第１溝部４３および第２溝部４４に入り込むように打設する（すなわち新設シール材４１の端縁を薄膜状とせず、ある程度のボリュームのある塊状とする）ことにより、新設シール材４１の端縁が第１外壁材２および第２外壁材３から剥離することが防止でき、止水性を向上させることができる。
【００３６】
また、第１溝部４３および第２溝部４４は、断面形状がＶ字形であることにより、一般的な切削工具を用いて第１溝部４３および第２溝部４４を容易に形成することができる。
また、第１外壁材２および第２外壁材３は、ＡＬＣパネルであることにより、一般的な切削工具を用いて第１溝部４３および第２溝部４４を容易に形成することができる。
【００３７】
（第２実施形態）
次に、本発明の他の実施形態について、添付図面に基づいて説明するが、上述の第１実施形態と同一又は同様な部材、部分には同一の符号を用いて説明を省略し、実施形態と異なる構成について説明する。
図５に示すように、第２実施形態による目地部構造は、サッシ枠８とサッシ枠８に隣接する外壁材２Ｂとの間の既設の目地部に新設シール材４１Ｂを設けて改修した後の目地部１Ｂの構造となっている。
サッシ枠８および外壁材２Ｂのうち、いずれか一方が本発明の第１部材に相当し、他方が本発明の第２部材に相当している。
サッシ枠８と外壁材２Ｂとは幅方向に隣接していてもよいし、上下方向に隣接していてもよい。目地部１Ｂは、サッシ枠８と外壁材２Ｂとが幅方向に隣接している場合は、上下方向に延び、サッシ枠８と外壁材２Ｂとが上下方向に隣接している場合は、幅方向に延びている。
【００３８】
第２実施形態の目地部１Ｂは、第１実施形態と同様に、新築後に間隔をあけて２回改修されていて、新築時に打設されたシール材（第１既設シール材５１Ｂ）、１回目の改修時に打設されたシール材（第２既設シール材６１Ｂ）および２回目の改修（今回の改修）で打設されたシール材（新設シール材４１Ｂ）が重なって設けられている。第１既設塗膜５２Ｂおよび第２既設塗膜６２Ｂは、目地部１Ｂおよび外壁材２Ｂに塗料が吹き付けられて形成されていて、サッシ枠８には形成されていない。
【００３９】
第２実施形態では、溝部４Ｂは、外壁材２Ｂと目地部１Ｂとの境界部分に形成されていて、サッシ枠８と目地部１Ｂとの境界部分には形成されていない。
溝部４Ｂは、目地部１Ｂの長さ方向（上下方向または幅方向）全体にわたって形成されている。
【００４０】
第２実施形態による目地部の改修方法では、溝部形成工程（素地露出部形成工程）は、外壁材２Ｂと第２既設シール材６１Ｂとの境界部分のみに第１実施形態の溝部４Ａと同様の溝部４Ｂを形成する。
新設シール材打設工程では、第２既設シール材６１Ｂの第２既設塗膜６２Ｂを介した前側から溝部４Ｂにかけて連続的に新設シール材４１Ｂを打設する。新設シール材４１Ｂは、端部をサッシ枠８と直接接触させる。
このようにすることで、新設シール材４１Ｂは、溝部４Ｂに打設された部分が外壁材２Ｂと当接した状態で目地部１Ｂに設けられる。
【００４１】
新設シール材打設工程の後に、新設シール材４１Ｂ、外壁材２Ｂの前側に塗料を吹き付け、新設塗膜４２Ｂを形成する新設塗膜形成工程を行う。
第２実施形態においても、第１実施形態と同様に、目地部深さ測定治具７（図４参照）を用いて、溝部４Ｂの深さを確認してもよい。
【００４２】
第２実施形態による目地部構造および目地部の改修方法では、外壁材２Ｂとサッシ枠８との間の目地部１Ｂについても第１実施形態と同様の効果を奏する。
【００４３】
（第３実施形態）
図６に示すように、第３実施形態による目地構造部は、入隅を形成するように設けられた第１外壁材２Ｃと第２外壁材３Ｃとの間の既設の目地部に新設シール材４１Ｃを設けて改修した後の目地部１Ｃの構造となっている。
第１外壁材２Ｃおよび第２外壁材３Ｃのうち、いずれか一方が本発明の第１部材に相当し、他方が本発明の第２部材に相当している。
第１外壁材２Ｃと第２外壁材３Ｃとは、水平方向に隣接し、目地部１Ｃが上下方向に延びている。
【００４４】
第３実施形態の目地部１Ｃは、第１実施形態と同様に、新築後に間隔をあけて２回改修されていて、新築時に打設されたシール材（第１既設シール材５１Ｃ）、１回目の改修時に打設されたシール材（第２既設シール材６１Ｃ）および２回目の改修（今回の改修）で打設されたシール材（新設シール材４１Ｃ）が重なって設けられている。第１既設塗膜５２Ｃおよび第２既設塗膜６２Ｃは、目地部１Ｃ、第１外壁材２Ｃおよび第２外壁材３Ｃの表面に塗料が吹き付けられて形成されている。
【００４５】
第３実施形態では、第１外壁材２Ｃと第２既設シール材６１との境界部分に第１溝部４３Ｃが形成され、第２外壁材３Ｃと第２既設シール材６１との境界部分に第２溝部４４Ｃが形成されている。
第１溝部４３Ｃおよび第２溝部４４Ｃを溝部４Ｃと表記することがある。
【００４６】
第３実施形態による目地部の改修方法では、第１溝部４３Ｃおよび第２溝部４４Ｃの向きが第１実施形態の第１溝部４３および第２溝部４４と異なるが、溝部形成工程（素地露出部形成工程）で、第１溝部４３Ｃおよび第２溝部４４Ｃの向きに対応させて第１実施形態と同様に第１溝部４３Ｃおよび第２溝部４４Ｃを形成し、新設シール材打設工程および塗膜形成工程を行う。
第３実施形態においても、第１実施形態と同様に、目地部深さ測定治具７を用いて、溝部４Ｃの深さを確認してもよい。
【００４７】
第３実施形態による目地部構造および目地部の改修方法では、入隅部分の第１外壁材２Ｃと第２外壁材３Ｃとの間の目地部１Ｃについても第１実施形態と同様の効果を奏する。
【００４８】
（第４実施形態）
図７に示すように、第４実施形態による目地構造部は、基礎部の上の壁受金物９の上に設けられた外壁材２Ｄと壁受金物９との間の既設の目地部に新設シール材４１Ｄを設けて改修した後の目地部１Ｄの構造となっている。
壁受金物９および外壁材２Ｄのうち、いずれか一方が本発明の第１部材に相当し、他方が本発明の第２部材に相当している。
外壁材２Ｄは、壁受金物９の上に位置し、外壁材２Ｄの前面に幅方向に延びるように形成された切り欠き部２１Ｄの下縁部２１ａのすぐ下に壁受金物９の上縁部９ａが配置されている。
目地部１Ｄは、切り欠き部２１Ｄに形成されている。目地部１Ｄは、幅方向に延びている。
【００４９】
第４実施形態の目地部１Ｄは、第１実施形態と同様に、新築後に間隔をあけて２回改修されていて、新築時に打設されたシール材（第１既設シール材５１Ｄ）、１回目の改修時に打設されたシール材（第２既設シール材６１Ｄ）および２回目の改修（今回の改修）で打設されたシール材（新設シール材４１Ｄ）が重なって設けられている。第１既設塗膜５２Ｄおよび第２既設塗膜６２Ｄは、目地部１Ｄおよび外壁材２Ｄ、壁受金物９に塗料が吹き付けられて形成されている。
【００５０】
第４実施形態では、外壁材２Ｄと第２既設シール材６１Ｄとの境界部分に溝部４Ｄが形成されていて、壁受金物９と第２既設シール材６１Ｄとの境界部分には溝部が形成されていない。
溝部４Ｄは、目地部１Ｄの幅方向全体にわたって形成されている。
【００５１】
第４実施形態による目地部の改修方法では、溝部形成工程（素地露出部形成工程）で外壁材２Ｄと第２既設シール材６１Ｄとの境界部分のみに第１実施形態の溝部４Ａと同様の溝部４Ｄを形成する。
新設シール材打設工程では、第２既設シール材６１Ｄの第２既設塗膜６２Ｄを介した前側から溝部４Ｄにかけて連続的に新設シール材４１Ｄを打設する。新設シール材４１Ｄは、端部を壁受金物９と当接させる。
このようにすることで、新設シール材４１Ｄは、溝部４Ｄに打設された部分が外壁材２Ｄと当接した状態で目地部１Ｄに設けられる。
【００５２】
新設シール材打設工程の後に、新設シール材４１Ｄ、外壁材２Ｄおよび壁受金物９の前側に塗料を吹き付け、新設塗膜４２Ｄを形成する新設塗膜形成工程を行う。
第４実施形態においても、第１実施形態と同様に、目地部深さ測定治具７を用いて、溝部４Ｄの深さを確認してもよい。
【００５３】
第４実施形態による目地部構造および目地部の改修方法では、外壁材２Ｄと壁受金物９との間の目地部１Ｄについても第１実施形態と同様の効果を奏する。
【００５４】
以上、本発明による目地部構造および目地部の改修方法の実施形態について説明したが、本発明は上記の実施形態に限定されるものではなく、その趣旨を逸脱しない範囲で適宜変更可能である。
例えば、上記の実施形態では、溝部４Ａ〜４Ｄを形成することにより素地露出部を形成しているが、溝部を形成せずに外壁材の表面を覆う既設塗膜、既設シール材等を除去することのみで素地露出部を形成してもよい。
また、上記の実施形態では、溝部４Ａ〜４Ｄを目地部１Ａ〜１Ｄの長さ方向全体にわたって形成しているが、目地部１Ａ〜１Ｄの長さ方向全体に形成せずに、目地部１Ａ〜１Ｄの長さ方向の一部や目地部１Ａ〜１Ｄの長さ方向に間隔をあけた複数の位置に形成してもよい。
また、上記の実施形態では、溝部４Ａ〜４Ｄは、断面形状がＶ字形であるが、Ｖ字形以外の断面形状（例えば、矩形、台形、半円形等）であってもよい。
また、上記の実施形態では、第１外壁材２、第２外壁材３および外壁材２Ｂ，２Ｄは、ＡＬＣパネルであるが、ＡＬＣパネル以外（例えば、プレキャストコンクリートパネル、窯業系サイディングパネル、各種発泡系コンクリートパネル等）あってもよい。
【００５５】
また、上記の実施形態の目地部構造および目地部の改修方法は、第１外壁材２と第２外壁材３との間の目地部構造および目地部の改修方法、または外壁材２Ｂ，２Ｄと他の部材（サッシ枠８や壁受金物９）との間の目地部構造および目地部の改修方法であるが、外壁材以外の部材間の目地部構造および目地部の改修方法に採用してもよい。
また、上記の実施形態では、既設のシール材および新設のシール材の表面が塗料で塗装されているが、塗装されていなくてもよい。
【００５６】
また、上記の実施形態では、既設のシール材は、第１既設シール材５１，５１Ｂ〜５１Ｄおよび第２既設シール材６１，６１Ｂ〜６１Ｄの２層であるが、１層であってもよい。すなわち、第１既設シール材５１，５１Ｂ〜５１Ｄの表面に第１既設塗膜５２，５２Ｂ〜５２Ｄを介して、または介さずに新設シール材４１，４１Ｂ〜４１Ｄが設けられていてもよい。
また、上記の実施形態では、目地部深さ測定治具７を用いて、溝部４Ａ〜４Ｄの深さを確認しているが、溝部４Ａ〜４Ｄの深さの確認方法は上記以外であってもよい。
【符号の説明】
【００５７】
１Ａ〜１Ｄ  目地部
２  第１外壁材（第１部材または第２部材）
２Ｂ，２Ｄ  外壁材（第１部材または第２部材）
３  第２外壁材（第１部材または第２部材）
４Ａ〜４Ｄ  溝部
４１，４１Ｂ〜４１Ｄ  新設シール材（新設のシール材）
４２，４２Ｂ〜４２Ｄ  新設塗膜
４３  第１溝部（溝部）
４４  第２溝部（溝部）
５１，５１Ｂ〜５１Ｄ  第１既設シール材（既設のシール材）
５２，５２Ｂ〜５２Ｄ  第１既設塗膜
６１，６１Ｂ〜６１Ｄ  第２既設シール材（既設のシール材）
６２，６２Ｂ〜６２Ｄ  第２既設塗膜
７  目地部深さ測定治具
８  サッシ枠（第１部材または第２部材）
９  壁受金物（第１部材または第２部材）
【図１】
2020159137.tif 000003
【図２】
2020159137.tif 000004
【図３】
2020159137.tif 000005
【図４】
2020159137.tif 000006
【図５】
2020159137.tif 000007
【図６】
2020159137.tif 000008
【図７】
2020159137.tif 000009